(57)【要約】【課題】ベーン溝底部の背圧室に溜まった液体を圧縮することによる背圧室の異常な圧力上昇を効果的に避けることが可能なベーン型圧縮機を提供する。【解決手段】ロータ３を収容するシリンダ形成部１２の軸方向の両端を閉塞する一対のサイドブロック形成部１３，２１の前記ロータ３の端面と対峙するそれぞれの面であって、背圧室５ａが背圧導入凹部４１，５１と連通しない背圧閉鎖領域に背圧抑制凹部４２，５２を形成し、この背圧抑制凹部４２，５２の一方を逃がし通路４４を介して高圧流体収容空間（高圧空間３５）と連通し、背圧抑制凹部の一方をオイル抜き室として機能させ、他方をオイルダンパ室として機能させる。逃がし通路４４が接続されていない背圧抑制凹部５２の容積を、逃がし通路４４が接続された背圧抑制凹部４２の容積よりも大きくするとよい。【選択図】  図１
2017111012.tif 000002
【特許請求の範囲】
【請求項１】
ハウジングと、
カム面が形成され、前記ハウジングの一部を構成するシリンダ形成部と
前記シリンダ形成部の軸方向の両端を閉塞し、前記ハウジングの一部を構成する一対のサイドブロック形成部と、
前記一対のサイドブロック形成部に回転自在に支持された駆動軸と、前記駆動軸に固装されて前記シリンダ形成部内に回転可能に収容されるロータと、
前記ロータに形成された複数のベーン溝と、前記ベーン溝に摺動自在に挿入され、先端部が前記ベーン溝から出没して前記カム面を摺動する複数のベーンと、
前記ベーン溝と前記ベーンとによって画成された背圧室と、
前記シリンダ形成部と前記一対のサイドブロック形成部とにより閉塞された空間に、前記ロータと前記ベーンとによって画成される圧縮室と、
前記圧縮室から吐出された流体を収容する高圧流体収容空間と、
吐出圧力領域にあって、オイルを貯留するオイル溜まり室と、を備え、
前記一対のサイドブロック形成部の前記ロータの端面と対峙する面に、前記駆動軸の支持部を中心として所定の角度範囲に亘って前記背圧室と連通可能な背圧導入凹部を形成し、
前記背圧導入凹部の少なくとも一方をオイル導入通路を介して前記オイル溜まり室と連通させたベーン型圧縮機において、
前記一対のサイドブロック形成部の前記ロータの端面と対峙するそれぞれの面であって、前記背圧導入凹部が形成されていない背圧閉鎖領域に前記背圧室と連通可能な背圧抑制凹部を形成し、
この背圧抑制凹部の一方と前記高圧流体収容空間とを逃がし通路を介して連通させたことを特徴とするベーン型圧縮機。
【請求項２】
前記一対のサイドブロック形成部に形成された前記背圧抑制凹部のうち、前記逃がし通路が接続されていない前記背圧抑制凹部の容積を、前記逃がし通路が接続されている前記背圧抑制凹部の容積よりも大きくしたことを特徴とする請求項１記載のベーン型圧縮機。
【請求項３】
前記背圧抑制凹部は、前記サイドブロック形成部の前記ロータの端面と対峙する面の面積を異ならせることで容積を異ならせていることを特徴とする請求項１又は２記載のベーン型圧縮機。
【請求項４】
前記逃がし通路が接続された前記背圧抑制凹部とこの背圧抑制凹部が設けられた側の前記背圧導入凹部とは、前記背圧室を介して連通することがないことを特徴とする請求項１乃至３のいずれかに記載のベーン型圧縮機。
【請求項５】
前記逃がし通路が接続されていない前記背圧抑制凹部とこの背圧抑制凹部が設けられた側の前記背圧導入凹部とは、前記背圧室を介して連通可能であることを特徴とする請求項４に記載のベーン型圧縮機。
【発明の詳細な説明】
【技術分野】
【０００１】
本発明は、ベーン型圧縮機に関し、特にベーン溝底部の背圧室に溜まったオイルを圧縮することによる不都合に対処するために有用な構造を備えたベーン型圧縮機に関する。
【背景技術】
【０００２】
一般的に、ベーン型圧縮機は、カム面が内部に形成されたシリンダと、このシリンダの軸方向の両端を閉塞するサイドブロックと、シリンダ内に回転可能に支持されたロータと、このロータの外周面から内部に向けて形成されたベーン溝と、このベーン溝に出没可能に収容されたベーンとを有して構成されている。ベーン溝の底部には背圧室が設けられており、この背圧室に吐出圧力領域から導かれた圧力を供給することにより、ベーンがシリンダのカム面に向けて付勢されるようになっている。【０００３】
背圧室への圧力の供給は、サイドブロックに形成された背圧導入凹部を介して行われる。この背圧導入凹部は、ロータの背圧室に常時圧力を供給できるように、サイドブロックのロータと対峙する端面に回転するロータの背圧室の回転軌跡に対応するように設けられる。この背圧導入凹部の少なくとも一方には、吐出圧力領域にあるオイル溜り室がオイル導入通路を介して連通している。オイル導入通路は内部に面積が狭められた絞りを有している。これにより、オイル溜まり室の圧力が、減圧されて背圧導入凹部に導かれ、ひいては回転するロータの背圧室へ供給されるようになっている。【０００４】
ところが、このような圧縮機においては、特に背圧室の圧力が十分に高まらない圧縮機の起動初期において、圧縮工程の終期に圧縮室の圧力が背圧室の圧力より高くなることがある。そのような場合、ベーンがシリンダのカム面から離れ、再びシリンダのカム面に着地して衝突音を発生させる所謂チャタリングを起こすことが知られている。【０００５】
チャタリング現象の対策として、圧縮行程の終期において背圧室と背圧導入凹部の連通を遮断して、背圧室の圧力を高めることが知られている（特許文献１参照）。具体的には、ロータに対峙するサイドブロックの端面のうち、圧縮工程の終期にある背圧室と対峙する領域に、背圧導入凹部が形成されない背圧閉鎖領域を設けるようにしている。これにより、圧縮行程の終期において背圧室が独立した閉鎖空間となり、ベーンがシリンダのカム面に沿ってベーン溝内へ押し込まれるのに伴い、背圧室内の流体が圧縮され、背圧が充分に高められる。【０００６】
ところで、背圧導入凹部にはオイル等の液体が存在しており、液分が濃い媒体が背圧室に導入されることがある。しかしながら、特許文献１のベーン型圧縮機においては、圧縮工程終期において背圧室が完全に閉塞されるため、ベーンがベーン溝に没入する際に背圧室に閉じ込められた液媒体が圧縮されることとなる。このため、ベーンに異常に高い背圧が作用してベーンの先端がカム面に当接する荷重が増大し、シリンダのカム面の摩耗が促進される恐れがある。【０００７】
そのような恐れを防ぐために、サイドブロックのロータと対峙する端面であって、背圧導入凹部が形成されない背圧閉鎖領域に、ダンパ用盲孔を設け、背圧室の圧力をダンパ用盲孔に逃がすことで背圧室の異常な圧力上昇を避けるようにした構成が提案されている（特許文献２参照）。
【先行技術文献】
【特許文献】
【０００８】
【特許文献１】特開昭５７−２６２９３号公報
【特許文献２】実公平０２−２０４７８号公報
【発明の概要】
【発明が解決しようとする課題】
【０００９】
しかしながら、上述の提案された構成においては、確保することが可能なダンパ用盲孔の大きさが限られるため、盲孔の空間がオイル等の液体で充満してしまうと背圧室の異常な高圧圧力を十分に低減させることができないものであった。【００１０】
本発明は係る事情に鑑みてなされたものであり、ベーン溝底部の背圧室に溜まった液体を圧縮することによる背圧室の異常な圧力上昇を効果的に避けることが可能なベーン型圧縮機を提供することを主たる課題としている。
【課題を解決するための手段】
【００１１】
上記課題を達成するために、本発明に係るベーン型圧縮機は、ハウジングと、カム面が形成され、前記ハウジングの一部を構成するシリンダ形成部と前記シリンダ形成部の軸方向の両端を閉塞し、前記ハウジングの一部を構成する一対のサイドブロック形成部と、前記一対のサイドブロック形成部に回転自在に支持された駆動軸と、前記駆動軸に固装されて前記シリンダ形成部内に回転可能に収容されるロータと、前記ロータに形成された複数のベーン溝と、前記ベーン溝に摺動自在に挿入され、先端部が前記ベーン溝から出没して前記カム面を摺動する複数のベーンと、前記ベーン溝と前記ベーンとによって画成された背圧室と、前記シリンダ形成部と前記一対のサイドブロック形成部とにより閉塞された空間に、前記ロータと前記ベーンとによって画成される圧縮室と、前記圧縮室から吐出された流体を収容する高圧流体収容空間と、吐出圧力領域であって、オイルを貯留するオイル溜まり室と、を備え、前記一対のサイドブロック形成部の前記ロータの端面と対峙する面に、前記駆動軸の支持部を中心として所定の角度範囲に亘って前記背圧室と連通可能な背圧導入凹部を形成し、前記背圧導入凹部の少なくとも一方をオイル導入通路を介して前記オイル溜まり室と連通させ、前記一対のサイドブロック形成部の前記ロータの端面と対峙するそれぞれの面であって、前記背圧導入凹部が形成されていない背圧閉鎖領域に前記背圧室と連通可能な背圧抑制凹部を形成し、この背圧抑制凹部の一方と前記高圧流体収容空間とを逃がし通路を介して連通させたことを特徴としている。【００１２】
したがって、オイル等の液媒体が背圧室に閉じ込められベーンの没入により圧縮されたとしても、背圧室内部での液圧縮による高圧圧力を一対のサイドブロック形成部の両方に形成された背圧抑制凹部に逃がすことにより、背圧室の異常な圧力上昇を抑えることが可能となる。また、背圧抑制凹部の一方は逃がし通路を介して高圧流体収容空間と連通しているので、他方の背圧抑制凹部が液体で満たされた場合であっても、圧縮された液体を逃がし通路を介して高圧流体収容空間に逃がすことができ、背圧室の異常な圧力上昇を抑えることが可能となる。【００１３】
好ましくは、逃がし通路が接続されていない背圧抑制凹部の容積を、逃がし通路が接続されている背圧抑制凹部の容積よりも大きくするとよい。
このような構成とすることで、背圧室での液圧縮による高圧圧力を、一方では逃がし通路からの排出を利用してすることで排出するとともに、他方では十分な容積を与えられた背圧抑制凹部に吸収させることが可能となり、バランスよく異常高圧を抑えることが可能となる。【００１４】
なお、背圧抑制凹部は、サイドブロック形成部のロータの端面と対峙する面の面積を異ならせることで容積を異ならせることが望ましい。
容積を異ならせるためには、背圧導入凹部の深さを調節することも可能であるが、深さを異ならせることで容積を大きくした場合には、背圧導入凹部にオイル等の液体が充満しやすくなり、容積を大きくすることによる効果が十分に得られなくなる。そこで、背圧抑制凹部の容積は、ロータの端面と対峙する面の面積を異ならせることで、気体を収容する割合を大きくし、ダンパ効果を高めるようにするとよい。【００１５】
また、逃がし通路が接続された背圧抑制凹部とこの背圧抑制凹部が設けられた側の背圧導入凹部とは、背圧室を介して連通することがないようにすることが望ましい。
これにより、高圧流体収容空間の高圧ガスが、逃がし通路やこれが接続する背圧抑制凹部を経て背圧室を介して背圧導入凹部に逆流し、圧縮機の性能に影響を与える恐れを排除することができる。【００１６】
さらに好ましくは、逃がし通路が接続されていない背圧抑制凹部とこの背圧抑制凹部が設けられた側の背圧導入凹部とは、背圧室を介して連通可能とするとよい。
これにより、逃がし通路が接続されていない背圧抑制凹部を背圧を介して呼吸させることができ、背圧導入凹部にオイルが充満してダンパ機能を損ねる恐れを排除することができる。また、この背圧抑制凹部は逃がし通路を介して高圧流体収容空間に接続されていないので、高圧流体収容空間の高圧流体が背圧導入凹部に流入し、背圧室を介して背圧抑制凹部に逆流する恐れはない。
【発明の効果】
【００１７】
以上述べたように、本発明によれば、シリンダ形成部の軸方向の両端を閉塞する一対のサイドブロック形成部のロータの端面と対峙する面であって、背圧室が背圧導入凹部と連通しない背圧閉鎖領域に背圧室と連通可能な背圧抑制凹部を形成し、さらにこの背圧抑制凹部の一方に高圧流体収容空間と連通する逃がし通路を接続するようにしたので、ベーンの没入に伴い背圧室に閉じ込められた液体が圧縮されたとしても背圧抑制凹部のダンパ機能により液圧縮による高圧圧力を吸収させることが可能となり、また、背圧抑制凹部が液体で満たされた場合でも、逃がし通路が接続されている背圧抑制凹部により、圧縮された液体を逃がし通路を介して高圧流体収容空間に逃がすことが可能となり、背圧室の異常な圧力上昇を抑えることが可能となる。【００１８】
特に、逃がし通路が接続されていない背圧抑制凹部でのダンパ機能を高めるために、この背圧抑制凹部の容積を、逃がし通路が接続されている背圧抑制凹部の容積よりも大きくことが望ましく、このような構成とすることで、逃がし通路が接続されていない側での背圧室の圧力上昇を逃がし通路が接続されている側と同程度に抑えることが可能となる。
【図面の簡単な説明】
【００１９】
【図１】図１は、本発明にかかるベーン型圧縮機を示す図であり、（ａ）はその側断面図、（ｂ）は（ａ）で示すベーン型圧縮機の第１のハウジング部材と第２のハウジング部材を示す断面斜視図である。
【図２】図２（ａ）は、図１で示すベーン型圧縮機の第１のハウジング部材を示す斜視図であり、図２（ｂ）は、図１のＡ−Ａ線で切断した断面図である。
【図３】図３（ａ）は、図１で示すベーン型圧縮機の第２のハウジング部材を示す斜視図、図３（ｂ）は、図１のＢ−Ｂ線で切断した断面図である。
【図４】図４（ａ）は、本発明にかかるベーン型圧縮機のフロント側の背圧導入凹部と背圧抑制凹部との関係を説明する図であり、図４（ｂ）は本発明にかかるベーン型圧縮機のリア側の背圧導入凹部と背圧抑制凹部との関係を説明する図である。
【図５】図５（ａ）は、背圧室と、フロント側の背圧導入凹部及び背圧抑制凹部のそれぞれとが連通するタイミングを示すタイミングチャートであり、図５（ｂ）は、背圧室と、リア側の背圧導入凹部及び背圧抑制凹部のそれぞれとが連通するタイミングを示すタイミングチャートである。
【発明を実施するための形態】
【００２０】
以下、本発明のベーン型圧縮機について図面を参照しながら説明する。
【００２１】
図１において、冷媒を作動流体とする冷凍サイクルに適したベーン型圧縮機が示されている。このベーン型圧縮機１は、駆動軸２と、駆動軸２に固定されて当該駆動軸２の回動に伴い回転するロータ３と、このロータ３に取り付けられるベーン４と、駆動軸２を回転自在に支持すると共にロータ３及びベーン４を収容するハウジング９とを有して構成されている。なお、図１において、左側をフロント側、右側をリア側とする。
【００２２】
ハウジング９は、第１のハウジング部材１０と第２のハウジング部材２０との２つの部材を組み合わせて構成されている。第１のハウジング部材１０は、図２にも示されるように、ロータ３を収納すると共にカム面１１が内周面に形成されたシリンダ形成部１２と、このシリンダ形成部１２の軸方向の一端側（リア側）を閉塞するように一体に形成された第１のサイドブロック形成部１３とから構成されている。シリンダ形成部１２の内周面（カム面１１）は、断面が真円に形成され、軸方向の長さが後述するロータ３の軸方向の長さにほぼ等しく形成されている。
【００２３】
第２のハウジング部材２０は、図３にも示されるように、シリンダ形成部１２の軸方向の他端側（フロント側）の端面に当接してこの他端側を閉塞する第２のサイドブロック形成部２１と、この第２のサイドブロック形成部２１に一体に形成されたシェル形成部２２とを有して構成されている。このシェル形成部２２は、駆動軸２の軸方向に延設され、前記シリンダ形成部１２及び第１のサイドブロック形成部１３の外周面を包囲するように形成されている。
【００２４】
そして、これら第１のハウジング部材１０と第２のハウジング部材２０とは、図示しないボルト等の連結具を介して軸方向に締結されている。また、第１のハウジング部材１０の第１のサイドブロック形成部１３と第２のハウジング部材２０のシェル形成部２２との間は、Ｏリング等のシール部材８が介在されて気密よくシールされている。
【００２５】
また、第２のハウジング部材２０には、第２のサイドブロック形成部２１からフロント側に延設されたボス部２３が一体に形成されている。このボス部２３には、駆動軸２に回転動力を伝えるプーリ（図示せず）が回転自在に外装され、回転動力が、このプーリから図示しない電磁クラッチを介して駆動軸２に伝達されるようになっている。
【００２６】
前記駆動軸２は、第１のサイドブロック形成部１３と第２のサイドブロック形成部２１とにベアリング１４，２４を介して回転自在に支持されている。また、駆動軸２は、先端部が第２のハウジング部材２０のボス部２３内に突出し、ボス部２３との間に設けられたシール部材２５によって該ボス部２３との間が気密よくシールされている。
【００２７】
前記ロータ３は、断面が真円状に形成され、その軸中心に設けられた挿通孔３ａに前記駆動軸２が挿通され、互いの軸中心を一致させた状態で駆動軸２に固定されている。また、シリンダ形成部１２の軸中心Ｏ‘とロータ３（駆動軸２）の軸中心Ｏとは、ロータ３の外周面とシリンダ形成部１２の内周面（カム面１１）とが周方向の一箇所で当接するようにずらして設けられている（シリンダ形成部１２の内径とロータ３の外径との差の１／２だけずらして設けられている）。そして、シリンダ形成部１２と第１のサイドブロック形成部１３及び第２のサイドブロック形成部２１とにより閉塞された空間には、シリンダ形成部１２の内周面（カム面１１）とロータ３の外周面との間に圧縮空間３０が画成されている。
【００２８】
また、第２のハウジング部材２０には、図示されていないが、作動流体（冷媒ガス）を外部から吸入する吸入口および外部へ吐出する吐出口が形成されている。第１のハウジング部材１０のシリンダ形成部１２には、ロータ３の外周面がシリンダ形成部１２の内周面（カム面１１）と近接する部位（以下、ラジアルシール部４０）に対して、ロータ３の回転方向の前方側近傍に吸入口と連通する吸入ポート１５が形成されている。また、ロータ３の回転方向の後方側直近に吐出口と連通する吐出ポート１６が形成されている。なお、図２及び図３において、３６は、連結具を螺合するねじ穴であり、図３において、３７は、吸入口と吸入ポート１５を連通する低圧空間である。
【００２９】
吐出ポート１６は、シリンダ形成部１２の内周面（カム面１１）との開口端に周方向に沿って湾曲状に凹ませた座ぐり（カウンターボア）１６ａを備えている。圧縮ガスは、この座ぐり１６ａを介して吐出される。第１のハウジング部材１０のシリンダ形成部１２と第２のハウジング部材２０のシェル形成部２２との間には、吐出室３２が形成されている。前記吐出ポート１６は、この吐出室３２に開口し、吐出室３２に設けられた吐出弁３３により開閉可能に閉塞されている。なお、３４は、吐出弁３３の動きを規制するリテーナである。
【００３０】
また、第１のハウジング部材１０の第１のサイドブロック形成部１３と第２のハウジング部材２０のシェル形成部２２との間は、前記吐出口が接続する高圧空間３５が形成されている。前記吐出室３２は、図示しないオイル分離器を介してこの高圧空間３５に連通している。これら吐出室３２および高圧空間３５により、吐出ポート１６から吐出した流体を収容する高圧流体収容空間が形成されている。さらに、第１のハウジング部材１０の第１のサイドブロック形成部１３の下部と第２のハウジング部材２０のシェル形成部２２の下部との間には、図示しないオイル分離器によって作動流体から分離されたオイルを溜めるオイル溜まり室１８が設けられている。これらの吐出室３２、高圧空間３５、オイル溜まり室は、吐出圧力領域に含まれる。
【００３１】
前記ロータ３の外周面には、ロータ３の軸方向に沿って複数のベーン溝５が形成され、それぞれのベーン溝５には、ベーン４が摺動自在に挿入されている。ベーン溝５は、ロータ３の外周面のみならず第１のサイドブロック形成部１３及び第２のサイドブロック形成部２１と対峙する端面にも開口されており、底部にはベーン４との間に背圧室５ａが形成されている。このベーン溝５は、周方向に等間隔に複数形成され、この例では、１８０度位相が異なる２箇所に互いに平行となるように形成されている。
【００３２】
ベーン４は、駆動軸２の軸方向に沿った幅が前記ロータ３の軸方向の長さに等しく形成されている。また、ベーン溝５への挿入方向（摺動方向）の長さは、ベーン溝５の同方向の長さに略等しく形成されている。このベーン４は、ベーン溝５の背圧室５ａに供給される背圧により、ベーン溝５から突出されて先端部がシリンダ形成部１２の内周面（カム面１１）に当接可能となっている。
【００３３】
したがって、前記圧縮空間３０は、ベーン溝５に摺動自在に挿入されたベーン４によって複数の圧縮室３１に仕切られ、それぞれの圧縮室３１の容積は、ロータ３の回転によって変化するようになっている。
【００３４】
そして、第１のサイドブロック形成部１３のロータ３の軸方向端面と対峙する面には、ベーン溝５の底部に設けられた背圧室５ａと連通可能な第1の背圧導入凹部４１と第１の背圧抑制凹部４２とが形成されている。ここで、「連通可能」とは、背圧室５ａが、ロータ３の回転に伴いロータ３の軸中心Ｏ周りに回転し第１の背圧導入凹部４１または第１の背圧抑制凹部４２の前を通過することにより、瞬間的に第１の背圧導入凹部４１または第１の背圧抑制凹部４２と連通することを意味する。以降の記載においても、「連通可能」とは、ロータ３の回転に伴う背圧室５ａとの瞬間的な連通のことを指す。
【００３５】
第1の背圧導入凹部４１は、圧縮室を画成するベーン４が格納されるベーン溝５の底部（背圧室５ａ）の回転軌跡に対応しており、圧縮室が吸入工程の開始から圧縮工程の終期の始めまで移動する間、背圧室５ａと連通可能なように形成されている。具体的には、ベーン４の先端部が吸入ポート１５に差し掛かる部分から吐出ポート１６に差し掛かる手前（座ぐり１６ａより手前）にかけて移動する範囲に亘って、ベーン溝５の底部（背圧室５ａ）と連通可能となるように形成されている。
【００３６】
これに対して、第１の背圧抑制凹部４２は、第１の背圧導入凹部４１が設けられていない領域（背圧閉鎖領域α）に設けられており、ベーン４の先端部が吐出ポート１６に差し掛かっている位置（座ぐり１６ａに差し掛かっている位置）からラジアルシール部４０の手前にかけて移動する範囲に亘ってベーン溝５の底部（背圧室５ａ）と連通可能となるように形成されている。
【００３７】
また、第１の背圧抑制凹部４２は、図４（ａ）に示すように、第１の背圧導入凹部４１とベーン溝５の底部（背圧室５ａ）によって連通することがないように、第１の背圧導入凹部４１と周方向で背圧室５ａの大きさ以上に離して形成されている。
即ち、背圧室５ａと第１の背圧導入凹部４１及び第１の背圧抑制凹部４２との連通面積の変化をロータ３の回転角を変化させて見ると、図５（ａ）に示されるように、背圧室５ａが第１の背圧導入凹部４１と第１の背圧抑制凹部４２とのいずれにも連通しない領域が形成されるように第１の背圧抑制凹部４２の位置および大きさが設定されている。
【００３８】
上述した第１の背圧導入凹部４１と第1の背圧抑制凹部４２とが形成された第1のサイドブロック形成部１３には、第１の背圧導入凹部４１とオイル溜まり室１８とを連通するオイル導入通路４３と、第１の背圧抑制凹部４２と高圧空間３５とを連通する逃がし通路４４とが形成されている。
【００３９】
オイル導入通路４３は、オイル溜まり室１８から第1のサイドブロック形成部１３の径方向に穿設されたオイル吸い上げ通路４３ａと、このオイル吸い上げ通路４３ａに一端が開口し、他端が第1の背圧導入凹部４１に開口するオリフィス通路４３ｂとを有して構成されている。
また、逃がし通路４４は、高圧空間３５から第1のサイドブロック形成部１３の径方向に穿設された径方向通路４４ａと、この径方向通路５２ａに一端が開口し、他端が第２の凹部４２に開口するオリフィス通路４４ｂと、を有して構成されている。
これらオリフィス通路４３ｂ、４４ｂによって、オイル導入通路４３と逃がし通路４４には、絞りが形成されている。
【００４０】
したがって、ベーン溝５の底部（背圧室５ａ）が第1の凹部４１に連通すると、吐出圧力領域にあるオイル溜まり室１８に溜められたオイルがオイル吸い上げ通路４４ａ及びオリフィス通路４４ｂを介して第１の背圧導入凹部４１に導入され、この第１の背圧導入凹部４１を介して背圧室５ａに送り込まれる。その後、ロータ３の回転によりベーン溝５の底部（背圧室５ａ）が第１の背圧導入凹部４１が形成されていない背圧閉鎖領域αに進入すると背圧室５ａが独立した閉鎖空間となり、ベーン４の没入によって背圧室内の流体が圧縮され圧力が高まる。しかし、さらにロータ３が回転すると、背圧室５ａが第１の背圧抑制凹部４２に連通し、背圧室内の流体がベーンの没入によって圧縮されることによって生じる圧力を第1の背圧抑制凹部４２から逃がし通路４４を介して高圧空間３５へ逃がすことができるようになっている。
【００４１】
これに対して、第２のサイドブロック形成部２１のロータ３の軸方向端面と対峙する端面には、背圧室５ａと連通可能な第２の背圧導入凹部５１と第２の背圧抑制凹部５２とが形成されている。
【００４２】
第２の背圧導入凹部５１は、ベーン４の先端部が吸入ポート１５に差し掛かる部分から吐出ポート１６に差し掛かる手前（座ぐり１６ａより手前）にかけて移動する範囲に亘ってベーン溝５の底部（背圧室５ａ）と連通可能となるように形成されている。この第２の背圧導入凹部５１は、第１の背圧導入凹部４１と駆動軸２に対して垂直となる平面に対して面対称となるように形成されている。
【００４３】
また、第２の背圧抑制凹部５２は、第２の背圧導入凹部５１が設けられていない領域（背圧閉鎖領域β）に設けられており、ベーン４の先端部が吐出ポート１６に差し掛かる手前の位置（座ぐり１６ａに差し掛かる手前の位置）からラジアルシール部４０を超えた位置にかけて移動する範囲に亘ってベーン溝５の底部（背圧室５ａ）と連通可能となるように形成されている。
【００４４】
さらに、第２の背圧抑制凹部５２は、第２の背圧導入凹部５１と周方向で背圧室５ａの大きさ以下に離れるように形成されている。
即ち、背圧室５ａと第２の背圧導入凹部５１及び第２の背圧抑制凹部５２との連通面積の変化をロータ３の回転角を変化させて見ると、図５（ｂ）に示されるように、背圧室５ａが第２の背圧導入凹部５１と第２の背圧抑制凹部５２とのいずれにも連通する領域が形成されるように第２の背圧抑制凹部５２の位置および大きさが設定されている。したがって、第２の背圧抑制凹部５２は、第1の背圧抑制凹部４２よりも周方向に幅広に形成され、第２の背圧抑制凹部５２の容積は、第１の背圧抑制凹部４２の容積よりも大きく形成されている。
【００４５】
以上の構成において、上述した構成においては、オイルがオイル導入通路４３及び第1の背圧導入凹部４１を介して背圧室５ａに導入されやすい構造となっているので、背圧室５ａへのオイル導入量が多い場合には、ロータ３の回転により背圧室５ aが背圧導入凹部４１が形成されていない背圧閉鎖領域α，βに差し掛かると背圧室内部が閉鎖空間となり、ベーン４がベーン溝５に没入するのに伴って背圧室内部の流体が圧縮され圧力が異常に高まる。しかしながら、背圧閉鎖領域α，βにおいて、リア側には第1の背圧抑制凹部４２が形成され、また、フロント側には第2の背圧抑制凹部５２が形成されているので、背圧室５ａがこれらの背圧抑制凹部４２，５２に差し掛かると、背圧室内のオイル（又は、圧力）は、背圧抑制凹部４２，５２に放出されるので、背圧室５ａの圧力上昇を緩和することが可能となる。
【００４６】
この際、リア側においては、第1の背圧抑制凹部４２に逃がし通路４４が接続されているので、この第1の背圧抑制凹部４２に放出されたオイル（又は、圧力）は、第1の背圧抑制凹部４２に満たされても逃がし通路４４を介して高圧空間３５へ逃がすことが可能となり、背圧室５ａの異常な圧力上昇を抑えることが可能となる。したがって、逃がし通路４４を介して背圧室内のオイル（又は、圧力）を逃がすことができるので、第1の背圧抑制凹部４２の容積は小さくても差し支えなく、また、第1の背圧抑制凹部４２を無くして逃がし通路４４だけを形成するようにしてもよい。
【００４７】
また、フロント側においては、背圧室５ａが第２の背圧抑制凹部５２に連通すると、背圧室５ａのオイル（又は、圧力）を第２の背圧抑制凹部５２に逃がすことができ、ダンパ機能により異常な圧力の上昇を吸収させることが可能となる。特に、この例では、第２の背圧抑制凹部５２の容積を第１の背圧抑制凹部４２の容積よりも大きくしているので、第２の背圧抑制凹部５２がオイルで充満されてダンパ機能が阻害される不都合を回避することが可能となる。
【００４８】
したがって、上述の構成においては、ロータの軸方向両端部に背圧の異常上昇を避ける機構が設けられているので、背圧室５ａの全域に亘って背圧の異常上昇を均等に抑えることが可能となり、ベーン４の先端がカム面１１に当接する荷重が大きくなってカム面（シリンダ形成部１２の内周面）の摩耗が促進されるという不具合を回避することが可能となる。
【００４９】
ところで、背圧の異常高圧を抑制する機構を、仮に逃がし通路４４だけのダンパ機能の乏しい機構で構成すると、低温時などオイルの粘度が大きい時に逃がし通路４４を通過させる際の通路抵抗が大きくなり、高圧圧力を十分に緩和できない恐れがある。逆に、逃がし通路のないダンパ用空間（第２の背圧抑制凹部５２）だけを採用した場合、ダンパ用空間の容積が小さいとオイルの充満などにより異常高圧を十分緩和できず、また、ダンパ用空間が大き過ぎると、通常のガス圧縮の際に背圧閉鎖領域によって背圧を高めてチャタリングを抑える効果を損なう恐れがある。上述の構成においては、高圧圧力を逃がし通路４４を介して排出する構造と、ダンパ空間（第２の背圧抑制凹部５２）に開放して吸収させる構造の双方を組み合わせて構成したことにより、種々の条件下において安定性の高いバランスの取れた異常高圧抑制を実現できる。
【００５０】
なお、第２の背圧抑制凹部５２の容積を第１の背圧抑制凹部４２の容積よりも大きくする方法としては、第２の背圧抑制凹部５２の深さを大きくすることも考えられるが、背圧抑制凹部の深さを大きくしても、ここに溜まるオイル量が多くなるだけで、空気層の領域がさほど大きくならない場合も想定されるので、フロント側の第２の背圧抑制凹部５２の深さをリア側の第1の背圧抑制凹分４２の深さと同じとし、上述した構成例のように、第２の背圧抑制凹部５２の面積を第１の背圧抑制凹部４２の面積よりも大きくすることで第２の背圧抑制凹部５２の空気層の領域を大きく確保し、空気層によるダンパ効果を高めるようにするとよい。
【００５１】
また、上述の構成においては、リア側の第１の背圧導入凹部４１と第１の背圧抑制凹部４２とが、背圧室５ａを介して連通することがないので、高圧空間３５の高い圧力が逃がし通路４４、第１の背圧抑制凹部４２から、背圧室５ａを介して第１の背圧導入凹部４１に逆流する不都合はなくなり、チャタリングを引きこす恐れや圧縮機の効率が低下する不都合を回避することが可能となる。
【００５２】
これに対して、フロント側の第２の背圧導入凹部５１は、第２の背圧抑制凹部５２と背圧室５ａを介して連通可能となるが、リア側の第１の背圧抑制凹部４２に対して間接的にも連通することはないので、高圧空間３５から高圧圧力が逆流する不都合はないし、また、第２の背圧抑制凹部５２のオイル（又は、圧力）を背圧室５ａを介して第２の背圧導入凹部５１に放出することが可能となるので、背圧室の異常な圧力上昇を効果的に抑えることが可能となる。
【００５３】
なお、以上の構成においては、リア側の第１の背圧抑制凹部４２に高圧空間３５と連通する逃がし通路４４を接続し、フロント側の第２の背圧抑制凹部５２の容積をリア側の第１の背圧抑制凹部４２の容積よりも大きくした例を示したが、この関係を逆にし、フロント側の第２の背圧抑制凹部５２に高圧空間３５と連通する逃がし通路を接続し、リア側の第１の背圧抑制凹部４２の容積をフロント側の第２の背圧抑制凹部５２よりも大きくしてもよい。
【００５４】
また、上述の構成においては、リア側の第１の背圧導入凹部４１にオイル溜め室１８と連通するオイル導入通路４３を接続するようにしたが、この構成に代えて、又は、この構成と共に、フロント側の第２の背圧導入凹部５１にオイル導入通路を接続するようにしてもよい。
【００５５】
また、上述の構成においては、一対のサイドブロック形成部１３、２１を、それぞれシリンダ形成部１２、シェル形成部２２と一体に形成したが、別部品として形成してもよい。
【００５６】
さらに、以上の構成は、ベーン４が３枚以上であるベーン型圧縮機においても、同様に採用可能である。また、２枚ベーンの構成においても、ベーン溝５（ベーン４）がオフセットして設けられた場合のみならず、ベーン４を含む平面と、ベーン４と平行をなし駆動軸２の軸心Ｏを含む平面とを一致させる（オフセットを０にする）場合や、逆側にオフセットしている場合においても同様に採用するようにしてもよい。
【符号の説明】
【００５７】
１  ベーン型圧縮機
２  駆動軸
３  ロータ
４  ベーン
５  ベーン溝
５ａ  背圧室
９  ハウジング
１０  第１のハウジング部材
１１  カム面
１２  シリンダ形成部
１３  第１のサイドブロック形成部
１８  オイル溜まり室
２０  第２のハウジング部材
２１  第２のサイドブロック形成部
３１  圧縮室
３２  吐出室
３５  高圧空間
４１  第１の背圧導入凹部
４２  第１の背圧抑制凹部
４３  オイル導入通路
４４  逃がし通路
５１  第２の背圧導入凹部
５２  第２の背圧抑制凹部
α、β  背圧閉鎖領域
【図１】
2017111012.tif 000003
【図２】
2017111012.tif 000004
【図３】
2017111012.tif 000005
【図４】
2017111012.tif 000006
【図５】
2017111012.tif 000007
【国際調査報告】
2017111012.tif 000008
2017111012.tif 000009
2017111012.tif 000010
2017111012.tif 000011